(57)【特許請求の範囲】
【請求項１】
略立方体柱状をなし、軸心方向には中空路２が設けられ、該中空路２と外部とを連通するスリット３が上面部に軸心方向へ向かって直線状に設けられたスリット付き側溝用ブロック１であって、
前記スリット３は前記上面部の幅方向中央位置に設けられ、かつ幅方向両端部から前記スリット３に向かって前記上面部は各々下り勾配の傾斜面として構成され、
スリット３の長さ方向両端側には前記スリット３を塞いで連結し、かつスリット３の長さ方向中央部に向かって各々下り勾配の傾斜底面２１を有し、かつスリット３の断面形状を略Ｕ字状に形成した間隔保持部材兼導入溝条２０が各々設けられたことを特徴とするスリット付き側溝用ブロック１。
【発明の詳細な説明】
【０００１】
【発明の属する技術分野】
本発明は、例えば、道路の両脇に敷設されて側溝を形成するスリット付き側溝用ブロックに関するものである。
【従来の技術】
従来、スリット付き側溝用ブロックは、その上面側の外部と側溝用ブロック内部の水路等の機能をはたす中空路とは上面に形成されたスリットにより連通されている。
【０００２】
上面にスリットが設けられた側溝用ブロックは、近年急激に需要が増えており、例えば車道の両脇に当該スリット付き側溝用ブロックを用いた側溝が形成され、敷設されていることが多々見受けられる。
【０００３】
そして、降雨時においては、車道に流れ込んだ大量の雨水等が当該側溝に設けられたスリットから内部の中空路に流れ込むものとされている。
【発明が解決しようとする課題】
しかしながら、前記従来のスリット付き側溝用ブロックでは、スリットを挟んで対向する側溝用ブロック上壁端部同士が衝突することによるスリットの欠け防止をはかること及びスリットの内側方向に荷重がかかることにより底壁側にひびあるいは亀裂が入るのを防止するため、全体に側溝を厚肉として構成してあり、そのため製造コストが高くなってしまうとの懸念があり、さらには重量が重いために運搬や敷設作業が困難となっていた。
【０００４】
そこで、従来のスリット付き側溝用ブロックにおいては、前記スリット内に合成ゴムあるいは合成樹脂からなるくさび状の間隔保持具を嵌着し、スリットを挟んで対向する側溝用ブロック上壁端部同士が衝突することによるスリットの欠け防止をはかること及びスリットの内側方向に荷重がかかることにより底壁側にひびあるいは亀裂が入るのを防止し、もって側溝用ブロックの側壁等の厚みを薄肉にすることが提案されていた。
【０００５】
しかしながら、合成ゴムあるいは合成樹脂からなる間隔保持具はコンクリート上壁の内側にかかる押圧力によりかみ切られた状態となってしまい、これによりスリット方向に向かって側溝用ブロックの両側壁に圧力がかかり、ひいては底壁あるいは両側壁下端にひびあるいは亀裂が入ってしまうことがあった。
【０００６】
かくして、本発明は前記課題に対処すべく創案されたものであり、側溝用ブロック幅方向中央に設けられたスリットの長さ方向両端側に前記スリットを塞いで連結し、かつスリットの長さ方向中央部に向かって各々下り勾配の傾斜底面とされた間隔保持部材兼導入溝条を各々設けたことにより、スリットを破損するおそれがなくあるいは底壁、両側壁下端にひびや亀裂が入ることもなく、かつ外観上は直線状に連続的にスリットがあるように見えて違和感がなく、しかも敷設後は水はけがきわめて良好となるスリット付き側溝用ブロックを提供することを目的とするものである。
【課題を解決するための手段】
本発明によるスリット付き側溝用ブロックは、
略立方体柱状をなし、軸心方向には中空路２が設けられ、該中空路２と外部とを連通するスリット３が上面部に軸心方向へ向かって直線状に設けられたスリット付き側溝用ブロック１であって、
前記スリット３は前記上面部の幅方向中央位置に設けられ、かつ幅方向両端部から前記スリット３に向かって前記上面部は各々下り勾配の傾斜面として構成され、
スリット３の長さ方向両端側には前記スリット３を塞いで連結し、かつスリットの長さ方向中央部に向かって各々下り勾配の傾斜底面２１を有し、かつスリット３の断面形状を略Ｕ字状に形成した間隔保持部材兼導入溝条２０が各々設けられてあることを特徴とする。
【発明の実施の形態】
以下、図に基づいて本発明に係るスリット付き側溝用ブロックの一実施の態様について説明する。
【０００７】
本発明による側溝用ブロック１はその上面部にスリット３が設けられた側溝用ブロック１であり、該スリット付き側溝１は、略立方体の角柱状をなして形成されている。
【０００８】
そして、その軸心方向には例えば縦長楕円状の中空路２が設けられている。さらに、この中空路２と外部とを連通させるスリット３が上面部、すなわち上壁１１において軸心方向へ向かって直線状に延出して設けられていると共に、スリット３は前記上壁１１の幅方向中央位置に設けられている。
【０００９】
さらに、この上壁１１の外表面は幅方向両端部から前記スリット３に向かって各々下り勾配の傾斜面として形成されており、雨水等がこの傾斜面に沿ってスムーズにスリット３内に導入されるよう構成されている。
【００１０】
ところで、従来の側溝におけるスリットは、前記上壁１１を幅方向中間位置から完全に分断するよう設けられていたが、本発明では外観上スリット３が連続して１本線のように見せつつスリット３の長さ方向両端部では当該スリット３を塞いだタイプとしてある。
【００１１】
すなわち、本発明ではスリット３の長さ方向両端部では所定の間隔でスリット３を塞いである。
【００１２】
図２、図３から理解されるようにスリット３の長さ方向両端部には導入溝条２０，２０が設けられており、その導入溝条２０を形成する底面がスリット２で分断された上壁１１，１１を連結してある。よってこの底面が従来の間隔保持具の機能を果たすものとされている。
【００１３】
さらに、この底面はスリット３の長さ方向中央部に向かって各々下り勾配の傾斜底面２１，２１とされており、導入溝条２０内に溜まった雨水等がこの傾斜底面２１，２１に沿ってスムーズにスリット３を通過し中空路２内に流入するよう構成されている。
【００１４】
図１に示すように、導入溝条２０の断面形状は略凹状をなすものでも構わないし、図４に示すように、略Ｕ字状をなすものでも構わないものである。
【００１５】
いずれにせよ、当該スリット付き側溝用ブロック１が敷設されたとき、流入された雨水等は、当該スリット付き側溝１のスリット３の両端部にある導入溝条２０，２０に流れ込み、この導入溝条２０，２０の傾斜底面２１，２１をスムーズに通過して（図３参照）、スリット３から中空路２内に導入されるものとなる。
【００１６】
尚、図５はスリット付き側溝用ブロック１を下り勾配を有する箇所に敷設したもので、このような箇所に敷設する場合には、前記導入溝条２０の底面を傾斜底面２１として形成しなくとも、側溝自体が下り傾斜を有して敷設されているため、当該スリット付き側溝用ブロック１が敷設されたとき、流入された雨水等は、当該スリット付き側溝１のスリット３の両端部にある導入溝条２０，２０に流れ込み、この導入溝条２０，２０の傾斜底面２１，２１をスムーズに通過して、スリット３から中空路２内に導入されるものとなる。
【発明の効果】
かくして本発明は以上の構成よりなる。
【００１７】
そして、本発明によるスリット付き側溝用ブロックであれば、側溝用ブロック幅方向中央に設けられたスリットの長さ方向両端側に前記スリットを塞いで連結し、かつスリットの長さ方向中央部に向かって各々下り勾配の傾斜底面とされた間隔保持部材兼導入溝条を各々設けたことにより、スリットを破損するおそれがなくあるいは底壁、両側壁下端にひびや亀裂が入ることもなく、かつ外観上は直線状に連続的にスリットがあるように見えて違和感がなく、しかも敷設後は水はけがきわめて良好であるとの優れた効果を奏する。
【図面の簡単な説明】
【図１】本発明によるスリット付き側溝の構成を説明する構成説明図（その１）である。
【図２】本発明によるスリット付き側溝の構成を説明する構成説明図（その２）である。
【図３】本発明によるスリット付き側溝の構成を説明する構成説明図（その３）である。
【図４】本発明によるスリット付き側溝の構成を説明する構成説明図（その４）である。
【図５】本発明によるスリット付き側溝の構成を説明する構成説明図（その５）である。
【図６】本発明によるスリット付き側溝の構成を説明する構成説明図（その６）である。
【符号の説明】
１    スリット付き側溝用ブロック
２    中空路
３    スリット
１１    上壁
２０    導入溝条
２１    傾斜底面
【図１】
0003682005.tif 000002
【図２】
0003682005.tif 000003
【図３】
0003682005.tif 000004
【図４】
0003682005.tif 000005
【図５】
0003682005.tif 000006
【図６】
0003682005.tif 000007